(57)【要約】【課題】スクリーンの平面性を保ちながらその畳み上げ及び下げ広げを良好に行う昇降式カーテンを提供する。【解決手段】巻取り装置４は、トップフレーム２１に回転可能に設けられるロールパイプ４１と、ロールパイプ４１を回転させるようにロールパイプに連結されている駆動部材４２と、スクリーン２２をたくし上げたり下ろし広げたりするようにロールパイプ４１の回転に連動可能に連結されているプル部材４３と、プル部材４３に適度な張りを持たせて垂れ下がるようにプル部材４３の下端部４３１に設けられているウェイトバー４４と、畳み上げ部２２１との間にプル部材４３が貫通して昇降することができると共に、プル部材４３をスクリーン２２に対して所定の位置に定位させるように畳み上げ部２２１に係脱可能に連結される複数の留め部材４５と、留め部材４５に設けられているウェイトバー４５２とを有する。【選択図】図１
2013230192.tif 000002
【特許請求の範囲】
【請求項１】
トップフレームと、
前記トップフレームより垂れ下げ可能なスクリーンであって、上下方向に直角な水平方向沿いに所定間隔をおいて延びる畳み上げ部が複数設けられている、スクリーンと、
前記トップフレームに設けられて前記スクリーンを昇降させるように回転するロールパイプと、前記ロールパイプを回転させる駆動部材と、前記スクリーンをたくし上げたり下ろし広げたりするように前記ロールパイプの回転に連動可能に前記ロールパイプに連結されている少なくとも１つのプル部材と、前記プル部材に平面性を付与すると共に適度な張りを持たせて垂れ下がるように前記プル部材の下端側に設けられている第１のウェイトバーと、前記畳み上げ部との間に前記プル部材が貫通して昇降することができると共に、前記プル部材を前記スクリーンに対して所定の位置に定位させるように前記畳み上げ部に係脱可能に連結されている複数の留め部材と、前記留め部材に設けられている第２のウェイトバーとを有する、巻取り装置と、
を備えている、ことを特徴とする昇降式カーテン。
【請求項２】
前記留め部材は、列状の貫通孔が形成されている連結部を有し、
前記第２のウェイトバーが前記貫通孔に挿通されて設けられている、ことを特徴とする請求項１に記載の昇降式カーテン。
【請求項３】
前記連結部は、その両端部が連結されずにめくれており、前記両端部における前記貫通孔側の裏面の端縁部にそれぞれ第１の連結部材が設けられ、
前記畳み上げ部の前記プル部材側の外面には、前記第１の連結部材に対応して互いに係脱可能に連結される第２の連結部材が設けられている、ことを特徴とする請求項２に記載の昇降式カーテン。
【請求項４】
前記留め部材と前記畳み上げ部との間に、前記プル部材が通り抜けて前記第１のウェイトバーによって妨げられて脱離できない制限空間が形成され、
前記第２の連結部材は、前記畳み上げ部における、前記制限空間を通り抜ける前記プル部材両側の外面に設けられている、ことを特徴とする請求項３に記載の昇降式カーテン。
【請求項５】
前記畳み上げ部に、前記スクリーンに平面性を付与すると共に所定の張りを持たせる第３のウェイトバーが設けられている、ことを特徴とする請求項１から請求項４のいずれか１つの請求項に記載の昇降式カーテン。
【請求項６】
前記畳み上げ部には、水平方向沿いに延びる列状の通孔が形成され、
前記第３のウェイトバーが前記通孔に挿通されて設けられている、ことを特徴とする請求項５に記載の昇降式カーテン。
【発明の詳細な説明】
【技術分野】
【０００１】
本発明は、カーテンに関し、特にスクリーンを折り畳んだり広げることにより上下させて開閉を行う昇降式カーテンに関する。
【背景技術】
【０００２】
図５には、従来の昇降式カーテンの一例を示す。この昇降式カーテン１は、例えば窓枠の上枠（図示せず）近くに取り付けられるトップフレーム１１と、トップフレーム１１より垂れ下げ可能なスクリーン１２及びスクリーン１２を昇降させるための巻取り装置１３とを備えている。スクリーン１２は、水平に折り畳んでたくし上げることができる列状の通孔付きの畳み上げ部１２１、１２１、・・・が設けられている。畳み上げ部１２１の各通孔にはウェイトバー１２２が挿通されており、スクリーン１２に平面性を付与すると共に適度な張りを持たせている。また、スクリーン１２及びプル部材１３３の下端にもそれぞれの吊り下げ状態を安定させるためにウェイトバー１２２、１３４が取り付けられている。
【０００３】
巻取り装置１３は、ロールパイプ１３１と、ロールパイプ１３１を回転させる駆動部材１３２と、スクリーン１２をたくし上げたり降ろし広げたりするプル部材１３３と、プル部材１３３をスクリーン１２に対して所定の位置に定位させる留め帯１３５とを有する。図６に示すように、留め帯１３５のスクリーン１２に対する内面の両端部に第１の接着部材１３７が設けられている。畳み上げ部１２１のプル部材１３３側の表面に第１の接着部材１３７に対応して接合できる第２の接着部材１３８が設けられている。留め帯１３５が畳み上げ部１２１に接合されているとき、留め帯１３５及び畳み上げ部１２１の間にプル部材１３３が貫通してウェイトバー１３４が留め帯１３５に引っ掛けられて定位される。なお、第１の接着部材１３７と第２の接着部材１３８とは例えば面ファスナーを用いている。
【先行技術文献】
【特許文献】
【０００４】
【特許文献１】米国公開ＵＳ２０１１／０２０３７４２号公報
【発明の概要】
【発明が解決しようとする課題】
【０００５】
このような昇降式カーテンによれば、プル部材１３３が留め帯１３５によって所定の位置に定位されながら、プル部材１３３がロールパイプ１３１によって巻き上げられると、スクリーン１２が畳み上げられるようにすることができる。
【０００６】
しかし、留め帯１３５として伸縮性を有する部材が用いられているため、プル部材１３３の昇動中、留め帯１３５が引き伸ばされるように引き上げられたとき、畳み上げ部１２１も留め帯１３５によりその真ん中に寄せられるように引っ張られるため、スクリーン１２に皺が発生し、美観を損なう。また、留め帯１３５と畳み上げ部１２１との空間が変化することで、プル部材１３３が順調に昇降することができなくなる問題点がある。
【０００７】
本発明は、上記問題点に鑑みてなされたものであり、スクリーンの平面性を保ちながらその畳み上げ及び下げ広げを良好に行うことができる昇降式カーテンを提供することを目的とする。
【課題を解決するための手段】
【０００８】
上記目的を達成するために、本発明は、トップフレームと、前記トップフレームより垂れ下げ可能なスクリーンであって、上下方向に直角な水平方向沿いに所定間隔をおいて延びる畳み上げ部が複数設けられている、スクリーンと、前記トップフレームに設けられて前記スクリーンを昇降させるように回転するロールパイプと、前記ロールパイプを回転させる駆動部材と、前記スクリーンをたくし上げたり下ろし広げたりするように前記ロールパイプの回転に連動可能に前記ロールパイプに連結されている少なくとも１つのプル部材と、前記プル部材に平面性を付与すると共に適度な張りを持たせて垂れ下がるように前記プル部材の下端側に設けられている第１のウェイトバーと、前記畳み上げ部との間に前記プル部材が貫通して昇降することができると共に、前記プル部材を前記スクリーンに対して所定の位置に定位させるように前記畳み上げ部に係脱可能に連結されている複数の留め部材と、前記留め部材に設けられている第２のウェイトバーとを有する、巻取り装置とを備えていることを特徴とする昇降式カーテンを提供する。
【発明の効果】
【０００９】
本発明に係る昇降式カーテンは、留め部材に第２のウェイトバーが設けられているので、スクリーンが昇動中、第１のウェイトバーに第２のウェイトバーが引っ掛けられ、留め部材と畳み上げ部との間に形成された制限空間に通されたプル部材が留め部材から脱離不能にロールパイプに巻かれる。また、留め部材がウェイトバーによって所定の張りが付与されるので、留め部材がその真ん中に引き寄せられて皺が生じることがなく、畳み上げ部、スクリーンも皺が生じることがなくなる。そのため、留め部材と畳み上げ部との間にプル部材を拘束する制限空間が変化することがないので、プル部材が安定して昇降することができる。従って、プル部材の昇降に連動するスクリーンはその平面性を保ちながらその畳み上げ及び下げ広げを良好に行うことができる。
【図面の簡単な説明】
【００１０】
【図１】本発明に係る昇降式カーテンの一実施例を示す図である。
【図２】昇降式カーテンの一部を拡大して示す図である。
【図３】昇降式カーテンの一部を拡大して示す側面図である。
【図４】昇降式カーテンのスクリーンが畳み上げられた状態の一部を示す側面図である。
【図５】従来の昇降式カーテンの一例を示す。
【図６】図５のカーテンの一部を拡大して示す図である。
【発明を実施するための形態】
【００１１】
以下、添付図面を用いて本発明に係る昇降式カーテンの一実施の形態を説明する。
【００１２】
（実施例）
図１〜図４は、本発明の一実施形態に係る昇降式カーテン２を示す図である。カーテン２は、例えば窓枠の上枠（図示せず）近くに取り付けられるトップフレーム２１と、トップフレーム２１より垂れ下げ可能なスクリーン２２と、スクリーン２２を昇降させるための巻取り装置４とを備えている。この例において、スクリーン２２をトップフレーム２１にワンタッチで取り付けたり取り外したりできるように着脱式の第１の面ファスナー部材２３がスクリーン２２の上端に設けられ、スクリーン２２の下端にはスクリーン２２の吊り下げ状態を安定させるためにウェイトバー２６が取り付けられている。
【００１３】
トップフレーム２１は、窓枠の上枠に取り付けられる、スクリーン２２の上下方向に対して直角に水平に延伸されているベース壁２１２と、ベース壁２１２の長手方向両端に設けられたブラケット壁２１１、２１１とから巻取り装置４を配置する取付空間２１０を画成するように構成されている。ベース壁２１２には、スクリーン２２に設けられた第１の面ファスナー部材２３に対して着脱可能に連結される第２の面ファスナー部材（図示せず）が設けられている。
【００１４】
なお、第１の面ファスナー部材２３及び第２の面ファスナー部材として、例えばマジックテープ（商標名称）、ベルクロ（商標名称）のような、互いにかみ合わせて留めることができる面ファスナー部材を用いているが、これに制限されず、互いに係脱可能に連結されることができる留め具を用いればよい。
【００１５】
スクリーン２２は、トップフレーム２１より垂れ下がることができ、また、たくし上げられた時にはトップフレーム２１近くまで畳み上げられて、降ろされた時には折り畳み状態から解放されて広げられる部材である。なお、スクリーン２２として、この例において、垂れ下げられているときは一面に広げられる面状部材を用いる。
【００１６】
また、スクリーン２２は、水平に折り畳まれてたくし上げられることができるように、スクリーン２２の上下方向に直角な水平方向沿いに所定間隔をおいて水平に延びる列状の通孔２２２が形成された複数の畳み上げ部２２１が例えばつまみ縫いにより設けられており、また、畳み上げ部２２１の通孔２２２のそれぞれにはウェイトバー２４が挿通されており、ウェイトバー２４の重量によりスクリーン２２に平面性を付与すると共に適度な張りを持たせている。
【００１７】
巻取り装置４は、ロールパイプ４１と、ロールパイプ４１を回転させる駆動部材４２と、スクリーン２２をたくし上げたり下げ広げたりするプル部材４３と、プル部材４３をスクリーン２２に対して所定の位置に定位させる留め部材４５とを有する。
【００１８】
ロールパイプ４１は、取付空間２１０内においてベース壁２１２に対してブラケット壁２１１、２１１によって軸回転可能に固定されている。
【００１９】
駆動部材４２は、スクリーン２２がトップフレーム２１に対して畳み上げられたり降ろされたりするように、ロールパイプ４１の回転を駆動操作するよう駆動力を伝達する伝達部材４２３を介してロールパイプ４１を回転させる回し棒４２１と、回し棒４２１を回すように操作するハンドル４２２とを有し、スクリーン２２に対してその一側にあるようにロールパイプ４１に連結して取り付けられている。
【００２０】
プル部材４３は、その一端部がロールパイプ４１に巻き付けられるように連結されており、他端部４３１に縫い合わせにより取付孔４３１ａが設けられ、取付孔４３１ａにウェイトバー４４が挿通されており、ウェイトバー４４の重量によりプル部材４３に平面性を付与すると共に適度な張りを持たせている。
【００２１】
留め部材４５は、図３に示されているように、列状の貫通孔４５４が形成されている連結部４５１を有するように例えば布材を縫い合わせてなっている。連結部４５１の貫通孔４５４にはウェイトバー４５２が挿通されている。連結部４５１は、その両端部が縫い合わされずにめくれており、そのめくれた部分、つまり連結部４５１における貫通孔４５４側の裏面４５５の端縁部４５６、４５６にそれぞれ第１の連結部材４５８、４５８が設けられている。
【００２２】
なお、留め部材４５としては、少なくとも縫合により連結部４５１及び第１の連結部材４５８が設けられる端縁部４５６があって、且つプル部材４３が留め部材４５とスクリーン２２との間を通って垂れ下がれるほどの空間を形成することができる長さを有する布材を用いればよい。
【００２３】
スクリーン２２の畳み上げ部２２１におけるプル部材４３両側の外面には、第１の連結部材４５８、４５８に対応して互いに係脱可能に連結される第２の連結部材４５７が設けられている。
【００２４】
なお、第１の連結部材４５８及び第２の連結部材４５７として、例えばマジックテープ（商標名称）、ベルクロ（商標名称）のような、互いにかみ合わせて留めることができる面ファスナー部材を用いているが、これに制限されず、互いに係脱可能に連結されることができる留め具を用いればよい。
【００２５】
スクリーン２２の畳み上げ部２２１に留め部材４５を取り付ける時、第１の連結部材４５８を対応する第２の連結部材４５７に向かい合わせながらかみ合わせて留めると、留め部材４５と畳み上げ部２２１との間に、プル部材４３が通り抜けてウェイトバー４４がウェイトバー４５２によって妨げられて脱離できない制限空間４６が形成される。
【００２６】
なお、上記ウェイトバー２４、４４、４５２は、孔通しをせずにそのまま固定するように設けられてもよい。
【００２７】
以上のように構成された昇降式カーテン２の組立て、作用及び効果を以下に説明する。
本発明に係る昇降式カーテン２は、スクリーン２２の一端部がロールパイプ４１に連結され、他端部にウェイトバー２６が取り付けられて垂れ下がるように例えば窓枠（図示せず）に取り付けられる。駆動部材４２はスクリーン２２の一側にあるように取り付けられる。プル部材４３、４３は、それぞれの一端部がロールパイプ４１に連結され、他端部４３１にウェイトバー４４が設けられ垂れ下がるように且つスクリーン２２の両側部に位置するようにスクリーン２２に取り付けられる。また、留め部材４５と畳み上げ部２２１との間に制限空間４６が形成されるように、それぞれの第１の連結部材４５８、４５８が対応する第２の連結部材４５７、４５７と接合されることにより留め部材４５、４５、・・・が対応する畳み上げ部２２１に連結されて定位される。
【００２８】
図１では、スクリーン２２が下げ広げられている状態を示す。この状態において、図３に示されているように、ウェイトバー４４によって、プル部材４３の他端部４３１が一番下にある留め部材４５の下側に位置するようにプル部材４３が垂れ下がっている。駆動部材４２を操作してロールパイプ４１を回転させると、プル部材４３はウェイトバー４４が留め部材４５に引っ掛けられたままロールパイプ４１に巻き上げられる。このとき、留め部材４５はウェイトバー４５２によって所定の張力を付与されているので、留め部材４５が引き上げられたとき、畳み上げ部２２１が留め部材４５側に寄せられてしわを生じることがなくなる。そして、畳み上げ部２２１がプル部材４３の昇動に連動して上げられると、図４に示されているようにスクリーン２２が畳み上げられる。
【００２９】
このように、プル部材４３、４３がそれぞれ留め部材４５と畳み上げ部２２１との間に形成された各制限空間４６を貫通し、また、ウェイトバー４５２が貫通孔４５４に挿通されると、プル部材４３がロールパイプ４１の回動に連動して制限空間４６において安定して昇降することができると共に、畳み上げ部２２１及び留め部材４５がプル部材４３と共に連動して昇降すると、スクリーン２２を畳み上げたり下げ広げたりすることができる。
【００３０】
以上のように構成された本発明に係る昇降式カーテンは、スクリーン２２の昇降中、ウェイトバー４４及び４５２によってプル部材４３及び留め部材４５に適度な張りを持たせることにより平面性を付与することができる。また、ウェイトバー４５２によって留め部材４５が所定の張りをもつことができるので、留め部材４５と畳み上げ部２２１との間に形成されプル部材４３が貫通する制限空間４６がほぼ変化しないので、プル部材４３が安定して昇降することができる。従って、スクリーン２２は昇降中に皺が発生することなく畳み上げられたり、下げ広げられたりすることができる。このように、スクリーン２２の平面性を保ちながらその畳み上げ及び下げ広げを良好に行うことができる昇降式カーテンを得ることができる。
【産業上の利用可能性】
【００３１】
本発明に係る昇降式カーテンは、スクリーンを畳み上げたり下げ広げたりするカーテンに有用である。
【符号の説明】
【００３２】
２    昇降式カーテン
２１    トップフレーム
２１０    取付空間
２１１    ブラケット壁
２１２    ベース壁
２２    スクリーン
２２１    畳み上げ部
２２２    通孔
２３    面ファスナー部材
２４    ウェイトバー（第３のウェイトバー）
２６    ウェイトバー
４    巻取り装置
４１    ロールパイプ
４２    駆動部材
４２１    回し棒
４２２    ハンドル
４２３    伝達部材
４３    プル部材
４３１    他端部
４３１ａ    取付孔
４４    ウェイトバー（第１のウェイトバー）
４５    留め部材
４５２    ウェイトバー（第２のウェイトバー）
４５４    貫通孔
４５５    裏面
４５６    端縁部
４５６    端縁部
４５７    第２の連結部材
４５８    第１の連結部材
４６    制限空間
【図１】
2013230192.tif 000003
【図２】
2013230192.tif 000004
【図３】
2013230192.tif 000005
【図４】
2013230192.tif 000006
【図５】
2013230192.tif 000007
【図６】
2013230192.tif 000008